(57)【要約】      （修正有）【課題】従来の自在ベースの支持部の動きに加え、回転部の設置面に対して３６０度回転する動きを加えることで、回転部付自在ベースの首振部を揺動自在として種々の勾配角度に対し適応させることができ、回転部付自在ベースの設置の作業の効率化を図る回転部付自在ベース装置を提供する。【解決手段】作業用足場の縦材となる金属製のパイプなどを挿入連結する支持部と、金属製のパイプを支持する首振り部５と回転部６と、それらの基台となる基台部９からなる回転部付自在ベースにおいて、首振部５を揺動自在に構成した。【選択図】図２
2017075517.tif 000002
【特許請求の範囲】
【請求項１】
作業用足場の縦材となる金属製のパイプなどを挿入連結する支持部と、金属製のパイプを支持する角度を揺動自在として種々の勾配角度に対し適応させるための首振り部と回転部、そしてそれらの基台となる基台部からなる回転式ベース装置。
【発明の詳細な説明】
【技術分野】
【０００１】  本発明は、作業用足場の縦材となる金属製の足場用パイプなどを支持する自在ベースの改良に関するものである。
【背景技術】
【０００２】  従来から使用されている自在ベースは図１に示すように、台板３に固定されている軸受板４に穴をあけ、金属製のピン２により支持パイプ１と軸受板４と台板３と接続され構成されている。金属製のピン２を通すための穴は金属製のピン２の径よりやや大きな径になっているため、支持パイプ１が半円の弧を描くように可動することで角度調整が可能である。【０００３】  しかし、支持パイプ１の可動する範囲は、点と点とを結ぶ一線上の軌道のみとなるため、足場用の金属製パイプを支持パイプ１にはめ込み固定したのち、足場用の金属製パイプを支持したい方向に向けるためには、台板３を支持すべき方向に合わせて設置方向を調整する必要がある。
【発明の概要】
【発明が解決しようとする課題】
【０００４】  従来から使用されている自在ベースは図１ように、台板３に取り付けられた軸受板４と支持パイプ１を金属製のピン２で結合され、支持パイプ１が自在に動く。しかし、支持パイプ１の可動範囲は点と点を結ぶ一線上の半円の弧であるため、支持したい方向に支持パイプ１を向けるために台板３を調整しなければならない。この台板３の調整に手間がかかり非効率的であった。本発明は台板３の角度調整の手間をかけることなく台板３を設置面に設置することができる回転部付自在ベースを提供することを目的とする。
【課題を解決するための手段】
【０００５】  本発明の回転部付自在ベース（図２）は、設置面に設置される基台部９、首振部５を３６０度回転させる回転部６、回転部６を支える回転支持部７と、金属製のパイプを支持する可動可能な首振部５とで形成されてなる。【０００６】  本発明の回転部付自在ベースは、従来の自在ベースの支持パイプ１の可動範囲である半円の一線の弧を描く軌道に加え、さらに設置面に対して平行に回転部を３６０度回転させることにより可動範囲は半球体を描くことができる。そのため支持したい方向に対応できる範囲が広がり、基台部を設置面に固定し支持部を半球体方向ほぼ全ての角度で揺動自在に種々の勾配角度に対し適応させることができる。
【発明の効果】
【０００７】  本発明の回転部付自在ベース装置は、可動範囲が半円の一線上方向のみだったことに加え、設置面に対して平行に３６０度回転することにより可動範囲が広がったため、角度を揺動自在の種々の勾配角度に対し適合させることが可能になる。そのため基台部を設置するにあたり、設置面の勾配や支持方向を考慮することなく回転部付自在ベースを設置することが出来るようになり、設置作業に手間がかからず作業効率を向上することができる。
【図面の簡単な説明】
【０００８】
【図１】従来の自在ベースの図である。
【図２】本発明の回転部付自在ベースの図である。
【図３】本発明の回転部付自在ベースの分解図である。
【図４】本発明の回転付自在ベースの正面図と側面図である。
【図５】本発明の回転部付自在ベースと金属製のパイプ接続形態の図である。
【図６】本発明の回転部付自在ベースの使用例である。
【符号の説明】１・・・支持パイプ  ２・・・ピン  ３・・・台板  ４・・・軸受板
５・・・首振部  ６・・・回転部  ７・・・回転支持部  ８・・リング  ９・・・基台部
１０・・・支持部  １１・・・可動支持部  １２・・・支持受部  １３・・・止め穴
１４・・・回転軸  １５・・・回転足  １６・・・回転軸組み込み穴
１７・・・リング組み込み穴  １８・・・回転足はめ込み穴  １９・・・ボルト通し穴
２０・・・リベット  ２１・・・止めピン  ２２・・・溶接  ２３・・・ボルト
２４・・・パイプ  ２５・・・ねじ  ２６・・・穴
【発明を実施するための形態】
【０００９】  以下、本発明の実態の形態について、図面３、４、５、６を参照して説明する。本発明の回転部付自在ベースは、図６に示すように、金属製のパイプなどの角度を揺動自在として種々の勾配角度に対して適合する基台として使用する。
【００１０】  本発明の回転部付自在ベースは、回転部６を回転支持部７に開けられている回転組み込み穴１６に組み込み、リング８を回転足１５に溶接加工、もしくはかしめて固定する。そうしてできた回転支持部７を金属製の基台部９の中心部に溶接加工２２により固着させる。
【００１１】支持する金属製のパイプ２４の内径には、回転部付自在ベースと接続するにあたり、確実に固定するためのネジ２５がたてられている。首振部５の支持部１０には、金属製のパイプ２４の内径にたてられたネジと結合するためのネジ２５がたてられており、金属製のパイプ２４を回しながら支持部１０に挿入固定する（図５）。また、首振部５の下部分には、首振部５と回転部６をリベット２０により結合するための穴２６が開けられている。回転部６の上部には首振部５を挟み込むための支持受部１２が作られていて、首振部５の可動支持部１１に開けられた穴２６と、支持受部１２に開けられた止めピン穴１３にリベット２０を通すことで接続される。リベット２０に開けられた穴にピン２１を通してリベット２０が抜け落ちないように固定する。可動支持部１１に開けられた穴２６と支持受部に開けられた止めピン穴１３はリベット２０の径よりやや大きく開けられており、これにより首振部５の可動が可能となる。
【００１２】  回転部６の下部分は、円柱形の回転軸１４と円柱形の回転足１５から成り立つ。回転軸１４の円柱形の直径より回転足１５は小さな直径の円柱形である。
【００１３】  回転支持部７の形状は円柱形で、その中心に回転部６を組み込むための回転軸組み込み穴１６が開けられている。回転軸組み込み穴１６は回転軸１４円柱形の直径よりやや大きさに開けられている。また、リング８をはめ込むためのリング組み込み穴１７が、回転軸組み込み穴１６の下部分に開けられている。リング組み込み穴１７はリング８の直径よりやや大きめに開けられている。回転支持部７の回転軸組み込み穴１６は、組み込まれる回転部６の円柱形の回転軸１４の直径よりやや大きく開けられているため、回転軸１４は組み込まれた回転支持部内で基台部に対して水平に３６０度回転可動することが可能になる。また、回転足１５に取り付けたリング８の径は回転支持部７に開けられた回転軸組み込み穴１６より大きな径になっていることで、回転部６が回転支持部７からの抜け落ちることを防ぐ役割を担っている。
【００１４】  本発明の回転部付自在ベースの基台部７に開けられたボルト通し穴１９にボルト２３を差し込み、設置面に固定設置する。固定された回転式ベース装置の支持部１０に金属製パイプ２４を回して挿入固定し、支持したい方向に金属製のパイプ２４を自在に動かし固定する（図６）。
【図１】
2017075517.tif 000003
【図２】
2017075517.tif 000004
【図３】
2017075517.tif 000005
【図４】
2017075517.tif 000006
【図５】
2017075517.tif 000007
【図６】
2017075517.tif 000008